(57)【要約】【課題】選別性能を向上させながらフロア−に対する振動伝達を抑制することを目的とする。【解決手段】振動スクリーン５を振動させるように構成した振動篩装置。基体３から上方に向けて支持体６を連設し、該支持体６により前記振動スクリーン５の固定側部５Ａを支持させ、リンク機構４により前記振動スクリーン５の可動側部５Ｂを支持させ、且つ、前記基体３と前記振動スクリーン５の可動側部５Ｂとをリアクタースプリング７で連結してある。【選択図】図１
2009291772.tif 000002
【特許請求の範囲】
【請求項１】
架台１に緩衝バネ２を介して基体３を載置し、該基体３の上にリンク機構４を用いて振動スクリーン５を連接し、前記基体３に振動モーター９を設置し、該振動モーター９によって前記リンク機構４を駆動して前記振動スクリーン５を振動させるように構成した振動篩装置であって、
前記基体３から上方に向けて支持体６を連設し、
前記支持体６により前記振動スクリーン５の固定側部５Ａを支持させ、
前記リンク機構４により前記振動スクリーン５の可動側部５Ｂを支持させ、且つ、
前記基体３と前記振動スクリーン５の可動側部５Ｂとをリアクタースプリング７で連結してある、
ことを特徴とする振動篩装置。
【請求項２】
前記振動スクリーン５の固定側部５Ａの重量を１としたときに、前記可動側部５Ｂの側の重量を、０．４から１．５の範囲に設定してあることを特徴とする請求項１の振動篩装置。
【請求項３】
前記架台１と前記基体３との間に、基体３の傾斜角度を調節する傾斜調節機構８を設けてあることを特徴とする請求項１又は請求項２の振動篩装置。
【請求項４】
前記振動スクリーン５に設けられたスクリーン本体５Ｃは、その搬送方向において、所定の間隔を隔てて、前記可動側部５Ｂと固定側部５Ａとに止め付けられていることを特徴とする請求項１乃至請求項３のいずれか１項に記載の振動篩装置。
【発明の詳細な説明】
【技術分野】
【０００１】  本発明は、篩により廃材等の分別を行う振動篩装置に関する。
【背景技術】
【０００２】  建設廃材ミンチ（混合廃棄物）、コンクリート・土砂廃材、資源ゴミの残渣等の分別には、精度のよい選別装置が求められる。
このような選別には、基本的には振動篩が用いられると供に風選、サイクロン、集塵機等を組み合わせたシステムが既に提案されている。
最近に至っては、上述した残渣は、先ず、スクリーン選別によって、砂、小石と可燃物（木、紙、廃プラ）に分別され、しかる後に、風選を伴う振動篩装置で、異なる比重、サイズ等で高選別される。【０００３】  上述のようなスクリーン型の振動篩装置としては、種々提案されているが、次のものが挙げられる。
【特許文献１】特開２００８−８０２３９。
【特許文献２】特開２００３−３４０３７５。
【特許文献３】特開２００８−１１０２８７。
【発明の開示】
【発明が解決しようとする課題】
【０００４】  上述したスクリーン型の振動篩装置としては、傾斜したコンベアタイプのものが提案されており、その構造は、フロア−に設置される架台に緩衝バネを介在させて基体を所定の傾斜角度でもって敷設し、該基体に振動スクリーンを、所定の傾斜角度でもって振動可能にリンク支持させ、そして、前記基体に載置した振動モーターによって、前記振動スクリーンに振動を付与させ、該振動スクリーンに投入された残渣を選別するようにしたものがある。【０００５】  上述した振動モーターは、電動モーターによって偏心軸を駆動し、これに連動連結されたリンクアームを介して振動スクリーンに振動を付与するものが提案されているが、その振動発生には基体に対する反力が作用する。即ち、基体から架台に振動が伝達され、フロア−にその振動が伝わることになる。勿論、バネを介在させているので、幾らかは軽減されるが、フロア−には大きな振動が伝わることになり、問題となっていた。【０００６】  本発明は、かかる現状に鑑み、全く新たな考えのもとに、選別性能を向上させながらフロア−に対する振動伝達を抑制することを目的とする。
【課題を解決するための手段】
【０００７】  本発明にかかる振動篩装置は、上記課題を解決するために、請求項１に記載の通り、
架台１に緩衝バネ２を介して基体３を載置し、該基体３の上にリンク機構４を用いて振動スクリーン５を連接し、前記基体３に振動モーター９を設置し、該振動モーター９によって前記リンク機構４を駆動して前記振動スクリーン５を振動させるように構成した振動篩装置であって、
前記基体３から上方に向けて支持体６を連設し、
前記支持体６により前記振動スクリーン５の固定側部５Ａを支持させ、
前記リンク機構４により前記振動スクリーン５の可動側部５Ｂを支持させ、且つ、
前記基体３と前記振動スクリーン５の可動側部５Ｂとをリアクタースプリング７で連結してある、
ことを特徴とする。【０００８】  本発明における前記振動スクリーン５の固定側部５Ａ（カウンターウエイト側）とは、基体３、振動モーター９、リンク機構４、支持体６を含む構造物を指す。また、前記振動スクリーン５の可動側部５Ｂ（トラフ側）とは、リンク機構４によって可動する部分をいう。
【発明の効果】
【０００９】  本発明の振動篩装置によれば、選別物（土砂、その他）に対する選別性能を向上させながらフロア−に対する振動伝達を抑制することができる顕著な効果を奏するに至った。
本発明のその他の具体的な効果は、以下の記載から明らかとなろう。
【発明を実施するための最良の形態】
【００１０】  本発明の実施に際しては、前記振動スクリーン５の固定側部５Ａの重量を１としたときに、前記可動側部５Ｂの側の重量を、０．４から１．５の範囲に設定してあることが好ましい。
このように構成することで、前記振動スクリーン５の可動側部５Ｂと固定側部５Ａとの運動エネルギーを、リアクタースプリンにより共振度合いを近似させることができて、フロア−に対する振動伝達を抑制できるのである。
尤も、両者（固定側部５Ａと可動側部５Ｂ）の比率は１対１となるのが理想的であるが、現実には、１対０．５乃至１となっている。【００１１】  また、前記架台１と前記基体３との間に、基体３の傾斜角度を調節する傾斜調節機構８を設けてあることが好ましい。
このように構成することで、選別物の性質によって、私用するスクリーンのメッシュ選択と合わせて、好適な傾斜角度のもとで精度の良い選別を行うことができる。【００１２】  更に、前記振動スクリーン５に設けられたスクリーン本体５Ｃは、その搬送方向において、所定の間隔を隔てて、前記可動側部５Ｂと固定側部５Ａとに止め付けられているのが好ましい。
上述のように、このように、前記振動スクリーン５を、固定側部５Ａと前記可動側部５Ｂとに分離した構造としながら、選別物に十分な波動運動を付与し、３０乃至５０Ｇの加速度で跳ね上げることができるようにできたものであり、これによって、フロア−への振動伝達抑制と、選別性能の向上の両立ができたものである。
【実施例】
【００１３】  以下、本発明にかかる振動篩装置の好適実施の形態を、図面を参照して以下詳述する。
図１（正面図）及び図２（側面図）に示すように、本発明にかかる振動篩装置の基本構成は、工場等の現場のフロア−に固定される架台１（鋼材で構成）に、緩衝バネ２を介して基体３を載置し、該基体３の上にリンク機構４を用いて振動スクリーン５を連接し、前記基体３に振動モーター９を設置し、該振動モーター９によって前記リンク機構４を駆動して前記振動スクリーン５を振動させるように構成されている。この図１は、機体３の傾斜角度を１８度とした場合を示す。【００１４】  そして、前記基体３の搬送方向上手と下手から夫々一対、上方に向けて支持体６を連設し、前記支持体６により前記振動スクリーン５の固定側部５Ａ（カウンターウエイト側）を支持させ、前記リンク機構４により前記振動スクリーン５の可動側部５Ｂ（トラフ側、トラフ形状を呈する）を支持させ、且つ、前記基体３と前記振動スクリーン５の可動側部５Ｂとを、搬送方向上手と下手において夫々一対のリアクタースプリング７で連結してある。【００１５】  この実施例では、前記基体３の搬送方向上手に設けたスプリングブラケット１０に、リアクタースプリング７の一端を連結し、その他端は、可動側部５Ｂ（トラフ側）のスプリングブラケット１１に連結している。同様に、前記基体３の搬送方向下手に設けたスプリングブラケット１２に、リアクタースプリング７の一端を連結し、その他端は、可動側部５Ｂ（トラフ側）のスプリングブラケット１３に連結している。【００１６】  前記リンク機構４は、この実施例では、前記基体３の搬送方向上手に設けたリンクブラケット１４に、第１のリンクアーム４Ａの一端を枢支連結し、その他端は、可動側部５Ｂ（トラフ側）のリンクブラケット１５に枢支連結し、略中央位置において、第２のリンクアーム４Ｂの一端を、基体３のリンクブラケット１６に枢支連結し、その他端は、可動側部５Ｂ（トラフ側）のリンクブラケット１７に枢支連結し、搬送方向上下手において、第３のリンクアーム４Ｃの一端を、基体３のリンクブラケット１８に枢支連結し、その他端を、可動側部５Ｂ（トラフ側）のリンクブラケット１９に枢支連結してある。
そして、前記リンクアーム４Ａ，４Ｂ，４Ｃの傾斜は、その上端が搬送方向上手に位置し、下端が下手に位置するとともに、前記リアクタースプリング７は、これとは逆に、その上端が搬送方向下手に位置し、下端が上手に位置するように取り付けられている。【００１７】  前記振動モーター９は、電動モーター９Ａと、これにより駆動する偏心軸９Ｂとからなり、この偏心軸の変位を連結部材９Ｃにより前記可動側部５Ｂ（トラフ側）に伝達し、これを波動させるように構成されているのである。
上記の連結部材９Ｃには、リアクションを発生させるリアクタースプリング７が介装されている。
上記電動モーター９Ａは，ここでは、出力３．７ＫＷのものが使用されている。【００１８】  この実施例では、前記振動スクリーン５の固定側部５Ａの重量（ここでは、約１５００Ｋｇ）１としたときに、前記可動側部５Ｂの重量（ここでは、約８８０Ｋｇ）を、０．５９に設定してある。
前記の固定側部５Ａの重量には、基体３、振動モーター９、リンク機構４、支持体６が含まれ、前記可動側部５Ｂの側の重量とは、振動スクリーン５の前記リンク機構４により可動される部位の重量をいう。
これら固定側部５Ａの重量と可動側部５Ｂの重量とは１対１が理想であるが、実施例のように、０．５であってもよく、また、０．４乃至１．５の範囲であれば、本発明の目的を有効に達成できる。【００１９】  また、前記架台１と前記基体３との間に、基体３の傾斜角度を調節する傾斜調節機構８を設けてある。
この実施例では、前記傾斜調節機構８は、架台１の搬送方向下手側と上手側に夫々枢支部２０・２１を設け、その下手側では、架台１に対して基体３をそのまま枢支連結し、上手側では、筒軸２２に所定間隔の孔２３を複数穿孔し、前記枢支部２０とこの所望の孔２３に枢支ピン２４を貫通させて支持するようにし、以って、基体３の傾斜角度を調節できるように構成している。
こうした傾斜調節機構８としては、前記筒軸２２に代えてスクリューネジを設け、このスクリューネジを回転させて架台１と機体との間隔を調整するようにして傾斜角度を調節するなど、適宜の常套手段を用いることができる。【００２０】  更に、前記振動スクリーン５に設けられたスクリーン本体５Ｃは、その搬送方向において、所定の間隔を隔てて、前記可動側部５Ｂと固定側部５Ａとに止め付けられている。このスクリーン本体５Ｃは、ウレタン網で構成されている。
図３及び図４に示すように、スクリーン本体５Ｃの前記可動側部５Ｂと固定側部５Ａへの止め付けのピッチは、ここでは、３１０ｍｍである。【００２１】  図４に示すように、前記可動側部５Ｂが作動することによって、丈夫の選別物は、例えば３０乃至５０Ｇの加速度で跳ね上げられる。
図３に示すように、スクリーン本体５Ｃを通過した土砂は、排出口５Ｄから、その他のものは、排出口５Ｅから排出される。その排出口５Ｅからの選別物は、そのまま処理されるか、他の、例えば、風船を伴う振動篩装置により、更に分別されることになる。【００２２】  図５は、基体３の傾斜角度を９度に設定した状態の正面図であり、図６は、その側面図である。
基体３の傾斜については、選別物の性質によって、傾斜調節機構８を用いて、１５度、１２度等、好適な角度に設定して実施できるものである。
また、スクリーン本体５Ｃについても、そのメッシュの孔は、選別物の性質によって、３ｍｍ乃至１０ｍｍ角の大きさのものを適宜選択して使用できる。【００２３】  上記の如き構成であるので、振動モーター９による振動は、前記振動スクリーン５の可動側部５Ｂに伝達されると、その反力が、リアクタースプリング７を介して、固定側部５Ａ、即ち、基体３の側に伝達され、共振状態となる。
即ち、前記振動スクリーン５の可動側部５Ｂは、その下部側においてリンク機構４と、リアクタースプリング７とによって支持され、上部側において、基体３から伸びる支持体６により吊り下げられた、謂わば宙吊り状態となっているのであるが、これを波動させた反力を基体３で受け止めることで両者を共振させる状態とすることで、フロア−への振動伝達を抑制することができるのである。【００２４】  そして、固定側部５Ａと可動側部５Ｂとに跨って止め付けられたスクリーン本体５Ｃは、その波動を十分に現出できることで、選別物に対する大きな加速度を付与し得て、大きな跳ね上げを行い、効率のよい選別を行うことができるのである。
【産業上の利用可能性】
【００２５】  本発明の振動篩装置は、建設廃材ミンチ（混合廃棄物）、コンクリート・土砂廃材、資源ゴミの残渣等の分別に適したもので、その応用範囲は広い。
【図面の簡単な説明】
【００２６】
【図１】本発明にかかる振動篩装置の正面図である。
【図２】本発明にかかる振動篩装置の側面図である。
【図３】本発明にかかる振動篩装置の作用を示す概略正面図である。
【図４】本発明にかかる振動篩装置の作用を示すスクリーン本体の概略正面図である。
【図５】本発明にかかる振動篩装置の別の実施形態を示す正面図である。
【図６】本発明にかかる振動篩装置の別の実施形態を示す正面図である。
【符号の説明】
【００２７】１：架台
２：緩衝バネ
３：基体
４：リンク機構
５：振動スクリーン
５Ａ：固定側部
５Ｂ：可動側部
６：支持体
７：リアクタースプリング
８：傾斜調節機構
９：振動モーター
【図１】
2009291772.tif 000003
【図２】
2009291772.tif 000004
【図３】
2009291772.tif 000005
【図４】
2009291772.tif 000006
【図５】
2009291772.tif 000007
【図６】
2009291772.tif 000008